(57)【要約】      （修正有）【課題】脱ぎやすく履きやすい靴を提供する。【解決手段】足のつま先側を覆うつま先革１０と、足の踵側を覆い前記足を入れるための履き口２０ｐが形成された腰革２０とを有する靴であって、つま先革１０に取り付けられ、足の甲を覆うように舌形状に形成された舌革３０と、舌革３０を覆うように腰革２０に縫製され、靴紐４３で締め付けられる一対の羽根４０と、舌革３０の一の羽根側から他の羽根側にかけて形成された挿通路と、弾性変形可能な部材で形成され、挿通路を挿通すると共に腰革２０に取り付けられている伸縮部５０とからなり、伸縮部５０は、その両端が一対の羽根４０と共に腰革２０に縫製されて取り付けられている。【選択図】図１
0003205785.tif 000002
【実用新案登録請求の範囲】
【請求項１】
足のつま先側を覆うつま先革（１０）と、前記足の踵側を覆い前記足を入れるための履き口（２０ｐ）が形成された腰革（２０）とを有する靴であって、
前記つま先革に取り付けられ、前記足の甲を覆うように舌形状に形成された舌革（３０）と、
前記舌革を覆うように前記腰革に縫製され、靴紐（４３）で締め付けられる一対の羽根（４０）と、
前記舌革の一の羽根側から他の羽根側にかけて形成された挿通路（３１）と、
弾性変形可能な部材で形成され、前記挿通路を挿通すると共に前記腰革に取り付けられている伸縮部（５０）とからなり、
前記伸縮部は、両端が一対の羽根と共に前記腰革に縫製されて取り付けられている
ことを特徴とする靴。
【請求項２】
請求項１に記載された靴であって、
前記履き口部は、前記伸縮部の弾性変形により、前記履き口の外形が拡がる開状態と、前記履き口の外形が狭まる閉状態となる
ことを特徴とする靴。
【請求項３】
請求項２に記載された靴であって、
前記挿通路は、前記舌革の表面側の表面舌革を切り欠いた一対の切欠（３２、３３）によって形成されている
ことを特徴とする靴。
【請求項４】
請求項３に記載された靴であって、
前記一対の切欠は、前記開状態又は前記閉状態のいずれの状態でも、前記一対の羽根に覆われる位置に配置されている
ことを特徴とする靴。
【請求項５】
請求項４に記載された靴であって、
前記靴紐は、弾性変形可能な部材で形成されている
ことを特徴とする靴。
【考案の詳細な説明】
【技術分野】
【０００１】
本考案は、靴に関する。さらに詳しく説明すると、本考案は脱ぎやすく履きやすい靴に関する。
【背景技術】
【０００２】
靴には、紐を用いないで履ける突っかけ式のスリッポンや、甲の高さを紐で調節できる紐靴等がある。紐靴には、羽根の部分が甲の部分に潜り込んでいる内羽根式と、羽根の部分が甲の部分の上に乗った外羽根式がある。例えば、ビジネス用の靴は、見た目の高級感も重要視されるため、皮革や合成皮革で製造されているものが多い。皮革や合成皮革で製造された靴は、弾性変形しないため履き口が広がらず、履きにくいと共に、足を痛めるおそれもある。
【０００３】
スリッポンには、履き口にゴムが縫い込まれているゴアー・スリッポンがある。しかし、ゴアー・スリッポンは、縫い込まれているゴムが外側からみえるため、靴の見栄えがあまり良くない。また、様々な靴においても、履き口を広げやすくするために、さまざまな提案がなされているが、特許文献を基に、従来の技術を説明する。
【０００４】
ゴムバンドを用いることによって運動量の多い子供達の足にフイットさせ軽快感を与え、履き心地の良いゴムバンド靴に関する技術が知られている（例えば、特許文献１参照）。靴の脱ぎ履きのし易さと、靴としての役割を果たすための足への高いフィット性とを両立するタン付きのスリッポンシューズに関する技術が知られている（例えば、特許文献２参照）。見栄えが良く、脱ぎ履きし易く、履き心地が良いビジネスシューズを含む靴の技術が知られている（例えば、特許文献３参照）。
【先行技術文献】
【特許文献】
【０００５】
【特許文献１】登録実用新案第３００２５９６号公報
【特許文献２】登録実用新案第３００８８３００号公報
【特許文献３】登録実用新案第３１８３５５３号公報
【考案の概要】
【考案が解決しようとする課題】
【０００６】
しかし、特許文献１に示されたゴムバンド靴は、ゴムバンドが外側から見えるため、見栄えが悪く高級感を感じられないという問題点があった。特許文献２に示されたタン付きのスリッポンシューズも伸縮部材が外側から見えるため、見栄えが悪く高級感を感じられないという問題点があった。特許文献３に示された靴は、伸縮部を２つ用意しなければならないため部品点数が多くなる上に、縫合作業が他工程必要であり、経済的負担が大きいという問題点があった。
【０００７】
本考案は、このような社会的、技術的背景に基づいたものであり、次のような目的を達成する。本考案の目的は、脱ぎやすく履きやすい履き口を有する靴を提供することにある。また、本考案の目的は、部品点数が少なく、製造工程が少ない靴を提供することができる。
【課題を解決するための手段】
【０００８】
本考案は、前記目的を達成するために次の手段をとる。
本考案１の靴は、足のつま先側を覆うつま先革と、前記足の踵側を覆い前記足を入れるための履き口が形成された腰革とを有する靴であって、前記つま先革に取り付けられ、前記足の甲を覆うように舌形状に形成された舌革と、前記舌革を覆うように前記腰革に縫製され、靴紐で締め付けられる一対の羽根と、前記舌革の一の羽根側から他の羽根側にかけて形成された挿通路と、弾性変形可能な部材で形成され、前記挿通路を挿通すると共に前記腰革に取り付けられている伸縮部とからなり、前記伸縮部は、両端が一対の羽根と共に前記腰革に縫製されて取り付けられていることを特徴とする。
【０００９】
本考案２の靴は、本考案１において、前記履き口部は、前記伸縮部の弾性変形により、前記履き口の外形が拡がる開状態と、前記履き口の外形が狭まる閉状態となることを特徴とする。
【００１０】
本考案３の靴は、本考案２において、前記挿通路は、前記舌革の表面側の表面舌革を切り欠いた一対の切欠によって形成されていることを特徴とする。
【００１１】
本考案４の靴は、本考案３において、前記一対の切欠は、前記開状態又は前記閉状態のいずれの状態でも、前記一対の羽根に覆われる位置に配置されていることを特徴とする。
【００１２】
本考案５の靴は、本考案４において、前記靴紐は、弾性変形可能な部材で形成されていることを特徴とする。
【考案の効果】
【００１３】
以上説明したように、本考案の靴は、脱ぎやすく履きやすい履き口を有する。また、本考案の靴は、部品点数が少なく、製造工程が少ない。
【図面の簡単な説明】
【００１４】
【図１】図１は、靴１を示す外観図である。
【図２】図２は、靴１の舌革を押し下げて伸縮部５０が見える状態にした図である。
【図３】図３は、靴１の羽根４０を広げて伸縮部５０が見える状態にした正面図である。
【図４】図４は、図１をα−α線で切断した状態を示す一部拡大断面図である。
【図５】図５は、伸縮部５０を伸ばした状態を示す一部拡大断面図である。
【考案を実施するための形態】
【００１５】
〔実施の形態１〕
本考案の実施の形態１を図面に基づいて詳細に説明する。図１は、靴１を示す外観図である。図２は、靴１の舌革を押し下げて伸縮部５０が見える状態にした図である。図３は、靴１の羽根４０を広げて伸縮部５０が見える状態にした正面図である。
【００１６】
図４は、図１をα−α線で切断した状態を示す一部拡大断面図である。なお、靴１は、足を入れる側の面を裏面とし、その反対面を表面として説明する。また、図１、２及び３に示すように、伸縮部５０の見えない部分の形状は、破線で示している。図１に示すように、靴１は、つま先革１０、腰革２０、舌革３０、羽根４０、伸縮部５０、本底６０及び積上げ７０から形成されている。
【００１７】
〔つま先革１０〕
つま先革１０は、皮革又は合成皮革（以下、「皮革等」という。）で形成されており、足のつま先から甲を覆うように形成されている。つま先革１０の先端側には、装飾のための飾り革１１が皮革等で形成されて取り付けられている。つま先革１０は、その上側に舌革３０が縫製されて取り付けられており、その後側に腰革２０が縫製されて取り付けられている。
【００１８】
〔腰革２０〕
腰革２０は、皮革等で形成されており、足の踵側を覆うように形成されている。腰革２０には、足を出し入れするための履き口２０ｐが形成されている。腰革２０は、表面腰革と裏面腰革とを貼り合わせて形成されている。図４に示すように、腰革２０は、一対の第一腰革２１と第二腰革２２とから構成されている。、第一腰革２１は、第一表面腰革２１ｓと第一裏面腰革２１ｂとを貼り合わせて形成されている。第二腰革２２は、第二表面腰革２２ｓと第二裏面腰革２２ｂとを貼り合わせて形成されている。
【００１９】
第一腰革２１と第二腰革２２とは後端部分が縫製されて取り付けられている（図示せず）。第一腰革と第二腰革が取り付けられている部分は、図２又は３に示すように、補強のための市革２３が皮革等で形成されて取り付けられている。第一腰革２１の上方前側には、第一羽根４１が縫製されて取り付けられ、第二腰革２２の上方前側には、第二羽根４２が縫製されて取り付けられている。
【００２０】
〔舌革３０〕
舌革３０は、皮革等で形成されており、足の甲を覆うように舌形状に形成されている。図４に示すように、舌革３０は、表面舌革３０ｓと裏面舌革３０ｂとを貼り合わせて形成されている。舌革３０は、つま先革１０の上側に縫製されて取り付けられている。図２乃至４に示すように、舌革３０には、伸縮部５０を挿通させるための挿通路３１が形成されている。挿通路３１は、表面舌革３０ｓを切り欠いた第一切欠３２と第二切欠３３とから形成されている。
【００２１】
第一切欠３２と第二切欠３３とは、表面舌革３０ｓの前側から後ろ側にかけて略平行になるように形成されている。第一切欠３２と第二切欠３３とは、伸縮部５０の幅寸法と同一又はやや大きくなるような寸法で表面舌革３０ｓに切り欠かれている。第一切欠３２は、第一羽根４１に覆われるような位置に形成され、第二切欠３３は、第二羽根４２に覆われるような位置に形成されている。挿通路３１は、第一切欠３２と第二切欠３３が開口４０ｐから見えないように、第一羽根４１側から第二羽根４２側にかけて形成されている。
【００２２】
〔羽根４０〕
羽根４０は、皮革等で形成されており、舌革３０を覆うように形成されている。羽根４０は、いわゆる外羽根と呼ばれているものであり、靴紐４４で締め付けられるように一対の第一羽根４１と第二羽根４２とから構成されている。羽根４０には、第一羽根４１と第二羽根４２との間に足の締め具合を調整するための開口４０ｐが形成されている。図４に示すように、第一羽根４１は、第一表面羽根４１ｓと第一裏面羽根４１ｂとを貼り合わせて形成されている。第二羽根４２は、第二表面羽根４２ｓと第二裏面羽根４２ｂとを貼り合わせて形成されている。
【００２３】
第一羽根４１は、第一表面腰革２１ｓと第一裏面腰革２１ｂとの間に挟まれると共に縫製されて取り付けられ、第二羽根４２は、第二表面腰革２２ｓと第二裏面腰革２２ｂとの間に挟まれると共に縫製されて取り付けられている。第一羽根４１は、第一切欠３２を覆うように第一腰革２１に取り付けられ、第二羽根４２は、第二切欠３３を覆うように第二腰革２２に取り付けられている。
【００２４】
図１又は３に示すように、羽根４０には、靴紐４４を挿通させるためのはとめ４３が形成されている。はとめ４３は、第一羽根４１と第二羽根４２を貫通するようにそれぞれ５つ形成されている。はとめ４３には、第一羽根４１と第二羽根４２とを締め付けて、足の締め具合を調整するための靴紐４４が挿通されている。靴紐４４は、伸縮自在なゴム製の紐である。
【００２５】
〔伸縮部５０〕
伸縮部５０は、伸縮自在なゴム製のバンドであり、帯状に形成されている。図４に示すように、伸縮部５０は、足を締め付けるように、足の幅を跨ぐように腰革２０に取り付けられている。伸縮部５０は、舌革３０に形成された挿通路３１を挿通すると共に、腰革２０に取り付けられている。伸縮部５０の一端は、第一表面腰革２１ｓと第一裏面腰革２１ｂとの間に挟まれると共に縫製されて取り付けられている。伸縮部５０の他端は、第二表面腰革２２ｓと第二裏面腰革２２ｂとの間に挟まれると共に縫製されて取り付けられている。
【００２６】
伸縮部５０は、腰革２０と羽根４０に縫製されて取り付けられている。伸縮部５０は、腰革２０に取り付けられているため、伸縮部５０の伸縮に応じて履き口２０ｐの外形の大きさが変わる。伸縮部５０は、羽根４０に取り付けられているため、伸縮部５０の伸縮に応じて開口４０ｐの外形の大きさが変わる。つまり、腰革２０及び／又は羽根４０をもって拡げると、伸縮部５０が伸びて、履き口２０ｐ及び／又は開口４０ｐが拡がる。
【００２７】
〔靴１の使用方法〕
次に、靴１の使用方法について、図４乃至図５に基づいて説明する。図５は、伸縮部５０を伸ばした状態を示す一部拡大断面図である。なお、図４に示すように、靴１の伸縮部５０が伸びていない状態を閉状態とし、図５に示すように、靴１の伸縮部５０が伸びている状態を開状態として説明をする。図４に示すような閉状態のときに、腰革２０及び／又は羽根４０をもって所定の力を加えて拡げると、伸縮部５０が伸びて、図５に示すように、履き口２０ｐ及び／又は開口４０ｐが拡がり開状態となる。
【００２８】
開状態のときは、靴紐４４も弾性変形して伸びているため、靴紐４４を解くことなく足を出し入れできる。靴１が開状態のときに、履き口２０ｐに足を入れて履いた後に、加えていた力を解除すると、伸縮部５０が縮んで、腰革２０と舌革３０が足側に密着する。このため、足が靴１の内側でずれることなく、履き心地が良くなる。
【００２９】
図４又は５に示すように、靴１は開状態であっても、閉状態であっても、第一切欠３２と第二切欠３３は、第一羽根４１と第二羽根４２に覆われている。このため、靴１の表面側において、第一切欠３２、第二切欠３３及び伸縮部５０が見えることがなく、高級感が損なわれることがない。また、伸縮部５０は、裏面舌革３０ｂ側からではなく、表面舌革３０ｓ側に挿通路３１にするための第一切欠３２と第二切欠３３が形成されている。このため、靴１を履いて、閉状態にしても、伸縮部５０が足の甲に直接触れることがない。
【００３０】
以上、本考案の靴の実施の形態の説明を行ったが、本考案は、この実施の形態に限定されることはなく、本考案の目的、趣旨を逸脱しない範囲内で変更ができる。本実施の形態の靴は、いわゆる外羽根式の靴で説明をしたが、内羽根式の靴であっても良いことは言うまでもない。
【符号の説明】
【００３１】
１      ：靴
１０    ：先革
２０    ：腰革
３０    ：舌革
４０    ：羽根
５０    ：伸縮部
６０    ：本底
７０    ：積上げ
【図１】
0003205785.tif 000003
【図２】
0003205785.tif 000004
【図３】
0003205785.tif 000005
【図４】
0003205785.tif 000006
【図５】
0003205785.tif 000007